(57)【要約】【課題】既存の医療機器に接続されているコンピュータにも適用でき、第三者による不正な使用を防いで、診断データ等の個人情報の漏洩を防ぐセキュリティ装置を、安価に提供する。【解決手段】分電ソケット（Ｂ）とコンピュータのモニタ（Ｍ）との間に設ける、パスワードを認証して電力供給を許可する電源装置（１）として構成する。電源装置（１）には、パスワード入力用のテンキー（１５）と、電力供給を停止する停止スイッチ（１７）と、電力の供給をスイッチングするリレー（１１）とを設ける。パスワードの登録は、電源装置（１）と接続および切断が自在な、パスワード登録用機器（８）で実施する。【選択図】図１
0003141028.tif 000002
【実用新案登録請求の範囲】
【請求項１】
電源と、医療機器に接続されるコンピュータのモニタと、の間に設けられ、条件が満たされたときのみ前記モニタに電力の出力を許可する電源装置であって、
前記電源装置は、個人認証データ入力部と、個人認証データを格納する個人認証データ格納部とを備え、
前記個人認証データ入力部に読み込まれた個人認証データが、予め個人認証データ格納部に登録されている１つまたは複数の個人認証データのいずれかと一致したときにのみ、前記電源装置から電力の出力を許可する、モニタ用電源装置。
【請求項２】
請求項１に記載の電源装置において、個人認証データの登録用機器を前記電源装置へ接続したとき前記個人認証データの登録用機器により認証用の個人認証データを前記個人認証データ格納部に登録することができ、前記個人認証データの登録用機器を前記電源装置から切断したとき個人認証データの照合を行うことができる、モニタ用電源装置。
【請求項３】
請求項１または２に記載の電源装置において、前記電源装置には停止スイッチが設けられ、手動で前記停止スイッチを操作したときに、電力の出力を停止する、モニタ用電源装置。
【請求項４】
個人認証データがパスワードであり、パスワード入力用のキーボードが備えられていることを特徴とする請求項１〜３に記載のモニタ用電源装置。
【請求項５】
個人認証データは、カードに記録されている認証番号であり、カード読み取り装置が備えられていることを特徴とする、請求項１〜３に記載のモニタ用電源装置。
【請求項６】
個人認証データは、指紋や静脈パターンからなる生体データであり、指紋読み取り装置あるいは静脈読み取り装置が備えられていることを特徴とする、請求項１〜３に記載のモニタ用電源装置。
【考案の詳細な説明】
【技術分野】
【０００１】
本発明は、医療機器に接続されるコンピュータのモニタ用の電源として用いられ、電力の供給および停止をコントロールして、無許可の第三者による医療機器の不正使用を防ぐ、電源装置に関するものである。
【背景技術】
【０００２】
医療現場には、レントゲン装置、ＣＴ装置等の、いわゆる医療機器が設置されている。そして多くの医療機器には、特別なソフトウエアが組み込まれて、医療機器を操作したり、医療機器からデータを取得して保存・解析する、コンピュータ、すなわち医療機器接続コンピュータが接続されている。医療においては、これらの医療機器によって様々な検査データ、例えばレントゲン写真、心電図等が取られて、医療機器接続コンピュータに保存される。さらに、検査データを基に診断された診断データも医療機器接続コンピュータに保存される。これらの検査データおよび診断データは患者の個人情報であり、医師等の管理者以外の第三者から、不正にアクセスされないように管理が必要である。このため、従来は管理者が不在の時には部屋に鍵をかけたり、パスワード入力による保護機能を有する医療機器を新たに購入して、第三者が医療機器に不正にアクセスできないよう、セキュリティが確保されている。
【特許文献１】特開平９−３３０１４０号公報
【０００３】
特許文献１には、指紋データ読取装置を備え、読み取った指紋データと、予め登録されている指紋データとを照合し、登録済みの指紋データと認証されるとコンピュータへのログインを許可する、パーソナルコンピュータ装置が示されている。
【考案の開示】
【考案が解決しようとする課題】
【０００４】
上記したような従来の方法によれば、医療機器が設置されている部屋に鍵をかけるので、またパスワードで医療機器の操作が保護されるので、一応は無許可の第三者が医療機器を操作して患者の個人情報にアクセスすることはできない。しかしながら、問題点も多い。例えば、大病院のように多数の関係者が部屋を出入りするような場合、鍵をかけることは実質的に不可能である。また、医療機器のセキュリティの確保のためだけに部屋に鍵をかけると、他の用途での部屋の利用ができなくなり問題である。一方、パスワード機能付きの医療機器によってセキュリティを確保する場合は、パスワード機能を備えた医療機器を新たに購入する必要がある。この場合、既存の医療機器が無駄になるし、一般に医療機器が高価なことを考えると現実的ではない。
【０００５】
医療機器にセキュリティ装置を組み込むことでセキュリティを確保することはできる。ところで、一般に医療機器には統一規格がなく、各メーカ毎に仕様が異なる。このため、医療機器にセキュリティ装置を組み込むのは難しい。しかし、医療機器接続コンピュータに限れば、特許文献１に記載されている指紋データ読取装置を取り付けることは比較的容易である。このようにすれば、指紋認証されたときのみログインを許可するので、第三者の不正アクセスは防げる。しかしながら、薬事法上の問題が生じる。すなわち薬事法上は、医療機器に接続されているコンピュータも医療機器として定義されており、あらゆる医療機器は、変更されると再度承認される必要がある。つまり、元の医療機器接続コンピュータは承認済みであっても、医療機器接続コンピュータの構成や形状を変更したり、医療機器接続コンピュータにインストールされているソフトウエアの変更を行うと、新たに承認を得る必要がある。医療機器接続コンピュータに指紋データ読取装置を取り付けることは、医療機器の構成の変更にあたる。このため承認を新たに得なければならないが、そのための審査は長時間を要し、費用もかかり現実的ではない。さらには、指紋データ等の生体データは、個人情報にあたるので、医療従事者の中には、生体データを予め採取されることに心理的な抵抗を感じるケースもある。
【０００６】
医療機器自体や医療機器接続コンピュータの電源を改造して、所定の認証が得られたときのみ電源を供給するようにすれば、改造は安価であり、第三者の不正アクセスは防げる。しかしながら、医療機器によって消費電力は異なるので、電源の改造は一律にはできず、単一の規格の電源を供給することは出来ない。また、医療機器や医療機器接続コンピュータが動作中に、セキュリティ確保の為に電源の供給を突然停止すると故障する恐れもある。そして、そもそも電源の改造であっても、薬事法上は医療機器の構成の変更に該当する可能性がある、という問題もある。
【０００７】
本考案は、上記のような従来の問題に鑑みてなされてものであって、無許可の第三者が患者の個人情報を盗み出すことを防ぐセキュリティ装置を、新規の医療機器だけでなく既存の医療機器にもその構成や形状を変更することなく適用可能であり、つまり薬事法によって新たに承認を得る必要がなく、医療機器が故障する恐れも無く、簡易にかつ短時間で設置できる、安価なセキュリティ装置を提供することを目的としている。
【課題を解決するための手段】
【０００８】
本考案は、上記目的を達成するために、医療機器に接続されるコンピュータのモニタに電力を供給する、個人認証データの認証機能付き電源装置として構成され、モニタへの電力の供給は、読み取られた個人認証データが登録済みの個人認証データと一致したときのみ許可されるように構成される。そして、電源装置とは別に、電源装置に接続可能な個人認証データの登録用機器を設けるように構成され、電力供給停止用のスイッチも設けられる。
【０００９】
かくして、請求項１に記載の考案は、電源と、医療機器に接続されるコンピュータのモニタと、の間に設けられ、条件が満たされたときのみ前記モニタに電力の出力を許可する電源装置であって、前記電源装置は、個人認証データ入力部と、個人認証データを格納する個人認証データ格納部とを備え、前記個人認証データ入力部に読み込まれた個人認証データが、予め個人認証データ格納部に登録されている１つまたは複数の個人認証データのいずれかと一致したときにのみ、前記電源装置から電力の出力を許可するモニタ用電源装置として構成される。そして、請求項２に記載の考案は、請求項１に記載の電源装置において、個人認証データの登録用機器を前記電源装置へ接続したとき前記個人認証データの登録用機器により認証用の個人認証データを前記個人認証データ格納部に登録することができ、前記個人認証データの登録用機器を前記電源装置から切断したとき個人認証データの照合を行うことができる、モニタ用電源装置として構成され、請求項３に記載の考案は、請求項１または２に記載の電源装置において、前記電源装置には停止スイッチが設けられ、手動で前記停止スイッチを操作したときに、電力の出力を停止する、モニタ用電源装置として構成される。さらに、請求項４に記載の考案は、個人認証データがパスワードであり、パスワード入力用のキーボードが備えられていることを特徴とする請求項１〜３に記載のモニタ用電源装置として構成され、請求項５に記載の考案は、個人認証データは、カードに記録されている認証番号であり、カード読み取り装置が備えられていることを特徴とする、請求項１〜３に記載のモニタ用電源装置として構成され、請求項６に記載の考案は、個人認証データは、指紋や静脈パターンからなる生体データであり、指紋読み取り装置あるいは静脈読み取り装置が備えられていることを特徴とする、請求項１〜３に記載のモニタ用電源装置として構成される。
【考案の効果】
【００１０】
以上のように、本考案に係る電源装置は、入力された個人認証データが認証されたときのみ電力を供給するので、管理者以外の第三者は、医療機器に接続されているコンピュータを不正に使用できず、すなわち医療機器を操作することができず、患者の個人情報が流出する恐れがない。また、電力の供給を許可したり禁止する対象はモニタに限られ、薬事法上の医療機器の構成の改変に当たる恐れがないので、審査に費用と時間を要する薬事法上の承認を得る必要もなく既存のモニタにも採用できる、という本考案特有の効果が得られる。さらには、電力の供給の対象はモニタなので、消費電力は小さく、電源装置を小型かつ安価に製造できる。また、コンピュータが動作中にモニタの電源の供給が停止されたとしても、コンピュータが故障する恐れもない。
【００１１】
請求項２に記載の考案によると、個人認証データの登録は、個人認証データの登録用機器を電源装置に接続したときにのみ行うので、個人認証データの登録用機器を外して保管しておけば、セキュリティを守ることができる。そして、請求項３に記載の考案によると、停止スイッチが設けられ、停止スイッチを操作するとモニタへの電源の供給が停止されるので、操作が簡易であり、素早くセキュリティを保護できる状態にすることができる。さらに、請求項４や請求項５に記載の考案によると、個人認証データはパスワード、またはカードに記録されている認証番号なので、指紋データ等の生体データを採取されることを望まないユーザにも、心理的な抵抗無く採用できる。そして、請求項６に記載の考案によると、個人認証データは生体データなので、パスワードの盗難等のセキュリティ低下の恐れもない。
【考案を実施するための最良の形態】
【００１２】
以下、本考案の実施の形態として、個人認証データとして、パスワードの入力を受け付けて、パスワード認証によって出力をコントロールする、医療機器接続コンピュータのモニタ用の電源装置について説明する。医療機器接続用コンピュータＣは、図１に示されているように、医療機器に接続されて、医療機器を操作したり、医療機器から各種のデータを受信して、保存したり解析したりする。医療機器接続用コンピュータＣは、従来周知のようにモニタＭが信号ケーブルＳＫで接続されており、操作者はモニタＭに表示される情報に従って、医療機器接続用コンピュータＣを操作する。このような医療機器接続用コンピュータＣは、分電ソケットＢから直接電力供給を受けているが、モニタＭは、本実施の形態に係る電源装置１から電力供給を受けている。すなわち、医療機器接続用コンピュータＣの電源ケーブルＤＫ１のプラグは、分電ソケットＢに設けられているコンセントに差し込まれているが、モニタＭの電源ケーブルＤＫ２のプラグは電源装置１に設けられているコンセントに差し込まれている。従って、後で説明するように、電源装置１で電力供給をコントロールすると、モニタＭを使用可能にしたり使用不可能にすることができる。
【００１３】
電源装置１は、概略的に電源装置本体２と、電源操作端末３とから構成され、電源装置本体２は、電源ケーブル５のプラグが分電ソケットＢに設けられているコンセントに差し込まれて電力供給され、電源装置本体２と電源操作端末３とは、制御ケーブル６で接続されている。また、電源操作端末３には、パスワードを登録する時にのみ接続されて使用される、パスワード登録用機器８が保守ケーブル９によって取り外し可能に接続される。
【００１４】
電源装置本体２には、図には示されていないが、モニタＭの電源ケーブルＤＫ２のプラグが差し込まれるコンセントが設けられている。コンセントは本実施の形態では１個となっているが、複数設けて、複数台のモニタに同時に電力供給しても良い。電源装置本体２の内部には、リレー１１が設けられ、リレー１１が作動中のときは、分電プラグＢから供給された電力がモニタＭに供給されるが、リレー１１の作動が停止すると、電力はモニタＭに供給されないようになっている。
【００１５】
電源操作端末３は、電源装置本体２のリレー１１の作動・停止を制御する端末であり、パスワードを入力するテンキー１５と、入力されたパスワードを一時的に表示するディスプレイ１６と、リレー１１の作動を停止する停止スイッチ１７とが設けられている。そして、電源操作端末３の内部には、図１には示されていないが、後で説明する制御部２０が設けられている。
【００１６】
パスワード登録用機器８は、本実施の形態における個人認証データの登録用機器である。パスワード登録用機器８は、操作キーが備えられていれば良く、本実施の形態においては、所定のアプリケーションソフトウエアが搭載された汎用のパーソナルコンピュータで構成されている。そして、保守ケーブル９は、ＲＳ−２３２Ｃケーブル等の汎用ケーブルで構成されている。
【００１７】
制御操作端末３の内部に設けられている制御部２０について説明する。制御部２０は、ＣＰＵ、メモリ等から構成されるハードウエアと、ソフトウエアとから構成されており、具体的な処理内容は図２のブロック図に示されている。すなわち、制御部２０は、保守時にパスワード登録用機器８からパスワードの入力を受けるパスワード登録部２１と、入力されたパスワードを登録済みパスワードとして不揮発メモリに保存するパスワード格納部２２と、通常の運用時にテンキー１５からパスワードの入力を受けるパスワード入力部２３と、入力されたパスワードが登録済みパスワードに一致するか否かを照合するパスワード照合部２４と、パスワード照合部２４から指示されて、リレー１１を制御するＯＮ／ＯＦＦ指令部２５と、停止スイッチ１７が操作されるとＯＮ／ＯＦＦ指令部２５にＯＦＦ指令を通知する出力停止部２６と、から構成されている。本実施の形態にかかる電源装置１の制御部２０においては、個人認証データ入力部はパスワード入力部２３であり、個人認証データ格納部はパスワード格納部２２となっている。
【００１８】
次に、上記実施の形態の作用について説明する。まず、パスワードを登録する場合について説明し、次いで通常の運用を行う場合について説明する。パスワードを登録する場合は、図１に示されているように電源操作端末３に保守ケーブル９によってパスワード登録用機器８を接続する。登録を行う管理者は、パスワード登録用機器８を操作して、パスワードの登録を行うモードに切り替える。そして、パスワード登録用機器８から所定の情報、例えば管理者の氏名等の管理者に属する情報を入力すると共に、登録したいパスワードを入力する。そうすると、パスワード登録部２１が入力されたパスワードを、管理者に属する情報と共に、パスワード格納部２２に格納する。必要に応じて、他の管理者についても、同様な手順を繰り返してパスワードの登録を行う。パスワードの登録が終了したら、パスワード登録用機器８を操作して、通常の運用を行うモードに戻す。そして電源操作端末３から保守ケーブル９を抜き、パスワード登録用機器８を分離する。分離されたパスワード登録用機器８は、第三者に使用されないよう保管しておく。
【００１９】
次に、通常の運用を行う場合について説明する。まず、何も操作していない状態では、電源装置本体２からはモニタＭに対して電力の供給は行われていない。このため、モニタＭは表示できず、第三者が医療機器接続コンピュータＣを操作することが出来ない。すなわちセキュリティは確保されている。
管理者が医療機器接続コンピュータＣを使用したいとき、モニタＭに電源を供給する必要がある。管理者は、電源操作端末３のテンキー１５から、パスワードを入力する。そうすると、パスワード入力部２３がパスワードの入力を受け付ける。次いで、パスワード照合部２４は、パスワード格納部２２から順次登録済みのパスワードを読み出すと共に、入力されたパスワードと一致するものがあるか否かを調べる。入力されたパスワードが、登録済みのパスワードのいずれかと一致した場合は、パスワード照合部２４はＯＮ／ＯＦＦ指令部２５に信号を発信する。信号を受けたＯＮ／ＯＦＦ指令部２５は、電源装置本体２のリレー１１を作動させる。そうすると、モニタＭに電力が供給される。管理者は医療機器接続コンピュータＣを操作することができるようになる。
【００２０】
なお、管理者以外の第三者が同様の操作をしても、入力されたパスワードが登録されたパスワードと一致する可能性は非常に小さい。このため、パスワード照合部２４がＯＮ／ＯＦＦ司令部２５に信号を出力することはなく、モニタＭに電力が供給されず、セキュリティが確保される。
【００２１】
医療機器接続コンピュータＣの使用を終了する場合、もしくは管理者が医療機器接続コンピュータＣから一時的に離れる場合について説明する。必要に応じて医療機器接続コンピュータＣをシャットダウンする。この状態のままでは、電源装置本体２からモニタＭに電力が供給される状態となっているので、医療機器接続コンピュータＣを立ち上げると、医療機器接続コンピュータＣを操作することが可能である。そこで、モニタＭへの電力供給を停止する必要がある。
【００２２】
停止スイッチ１７を押下する。そうすると、出力停止部２６は、ＯＮ／ＯＦＦ指令部２５に停止信号を出力する。ＯＮ／ＯＦＦ指令部２５は、電源装置本体２のリレー１１を作動を停止して、モニタＭへの電力の供給を停止する。そうすると第三者が医療機器接続コンピュータＣを操作することが出来なくなる。なお、停止スイッチ１７は、開閉可能な蓋付きスイッチボックスの中に設けておくと、誤操作によって電源の供給が停止する恐れは無い。
【００２３】
本実施の形態に係る電源装置１については、さらにセキュリティを高めることが可能である。セキュリティを高めるためには、例えばモニタＭに接続されている電源ケーブルＤＫ２のプラグを、電源装置本体２に接続した後、これを容易に抜けないように蓋をかぶせて鍵をかけたり、プラグを電源装置本体２のコンセントに挿入したまま固着することが有効である。このように実施すると、第三者が電源ケーブルＤＫ２を抜いて他の電源に接続することを防ぐことができる。
【００２４】
本考案の電源装置は、上記実施の形態に限定されることなく色々な形で実施できる。例えば、電源操作端末に停止スイッチが設けられているように説明したが、電源装置本体に設けても良く、さらには電源装置本体と電源操作端末は一体にして実施することも可能である。また、電力供給のスイッチングをリレーで実施しているが、半導体リレー等の他のスイッチング機能を有する部品でも実施可能である。
【００２５】
また、本考案の電源装置においては、個人認証データとしてパスワードが採用されているが、パスワードの代わりに、カードに記録されている認証番号を採用することも可能である。カードにはＩＣチップが埋め込まれたＩＣカードや、磁気カードが採用可能であるが、電源装置には、従来周知のＲＦＩＤ読み取り装置、あるいは磁気カード読み取り装置を設けておき、管理者には予め認証番号が記録されているカードを配布しておく。電源装置は、読み取られた認証番号が登録された認証番号と一致したときにのみ電力の供給を許可することになる。また、個人認証データとして指紋データや指の静脈パターンのデータ、あるいは網膜パターンの生体データを採用することも可能である。テンキーの代わりに、従来周知の指紋データの読み取り装置や、指の静脈パターンのデータ、あるいは網膜パターンのデータの読取装置を電源操作端末に設けて、これらの生体データの特徴が、予め登録されている生体データの特徴と一致したときのみ、電力の供給を許可することができる。
【産業上の利用可能性】
【００２６】
本考案に係る電源装置は、医療機器に接続されているコンピュータのモニタだけでなく、例えばレセプト管理用のコンピュータのモニタの電源装置としての適用も可能である。
【図面の簡単な説明】
【００２７】
【図１】本実施の形態に係る電源装置と、その電源装置に医療機器に接続されるコンピュータのモニタを接続した様子を模式的に示す図である。
【図２】本実施の形態に係る電源装置の制御部の処理を説明するブロック図である。
【符号の説明】
【００２８】
１    電源装置  ２    電源装置本体
３    電源操作端末  ８    パスワード登録用機器
１５  テンキー  １７  停止スイッチ
Ｃ    医療機器接続用コンピュータ
Ｍ    モニタ   Ｂ    分電ソケット
【図１】
0003141028.tif 000003
【図２】
0003141028.tif 000004